(57)【要約】【課題】簡単な構成でトナー搬送経路の目詰まりの発生を抑制して安定したトナーの搬送を実現することができるトナー搬送装置、トナー補給装置およびこれらを用いた画像形成装置を提供する。【解決手段】トナーが収納されるトナーボトル２００の下方に配置され、トナーボトル２００から供給されたトナーをさらに下方に配置された現像装置２３に搬送するトナー通路６１２ｃ１を内部に有する補給用通路体６１２において、トナー通路６１２ｃ１に、トナーを撹拌するためのトナー撹拌翼６２１を有する回転体６２０ａ，６２０ｂと、トナー搬送方向に対して略垂直方向に揺動可能な揺動体６３０とを設けたことを特徴とするものとする。【選択図】図２
2008083287.tif 000002
【特許請求の範囲】
【請求項１】
トナーが収納されるトナー収容部の下方に配置され、前記トナー収納部から供給されたトナーをさらに下方に配置された現像装置に搬送するトナー搬送路を内部に有するトナー搬送装置において、
前記トナー搬送路には、トナーを撹拌するためのトナー撹拌翼を有する回転体と、トナー搬送方向に対して略垂直方向に揺動可能な揺動体とが設けられていることを特徴とするトナー搬送装置。
【請求項２】
前記トナー搬送路の上端側には前記トナー収容部側に連通するトナー導入口が形成され、
前記トナー搬送路の下端側には前記現像装置側に連通するトナー排出口が形成され、
前記トナー搬送路は、前記トナー導入口からトナー排出口に向かうトナー搬送経路が直線的に構成されていることを特徴とする請求項１に記載のトナー搬送装置。
【請求項３】
前記回転体は、その回転軸心が前記トナー搬送路のトナー搬送経路の中心線付近を避けて配置されていることを特徴とする請求項１または２に記載のトナー搬送装置。
【請求項４】
前記揺動体は、前記トナー導入口付近から前記トナー排出口付近に渡り延設されることを特徴とする請求項１乃至３のうちの何れか一項に記載のトナー搬送装置。
【請求項５】
前記揺動体は、前記回転体の回転動作に連動して揺動駆動されることを特徴とする請求項１乃至４のうちの何れか一項に記載のトナー搬送装置。
【請求項６】
前記揺動体は、ばね性を有する部材（ばね部材）で形成されていることを特徴とする請求項１乃至５のうちの何れか一項に記載のトナー搬送装置。
【請求項７】
前記揺動体は、合成樹脂部材で形成されていることを特徴とする請求項１乃至６のうちの何れか一項に記載のトナー搬送装置。
【請求項８】
トナーが収容されるトナー収容部と、前記トナー収容部の下方に配置され、前記トナー収納部から供給されたトナーをさらに下方に配置された現像装置に搬送するトナー搬送路を有するトナー搬送部とを備え、前記トナー収容部から供給されるトナーを現像装置に補給するトナー補給装置であって、
前記トナー搬送部として、請求項１乃至７のうちの何れか一項に記載のトナー搬送装置を備えたことを特徴とするトナー補給装置。
【請求項９】
トナーが収容されるトナー収容部と、該トナー収容部の下方に配置され、前記トナー収納部から供給されたトナーをさらに下方に配置された現像装置に搬送するトナー搬送路を有するトナー搬送部とを備えて前記トナー収容部から供給されるトナーを前記現像装置に補給するトナー補給装置が搭載された画像形成装置において、
前記トナー補給装置として、請求項８に記載のトナー補給装置を備えたことを特徴とする画像形成装置。
【発明の詳細な説明】
【技術分野】
【０００１】
本発明は、トナー搬送装置、トナー補給装置およびこれらを用いた画像形成装置に係り、特に、トナーを用いて画像形成を行う画像形成装置に用いられるトナー搬送装置およびトナー補給装置、そしてこれらを用いた画像形成装置に関する。
【背景技術】
【０００２】
従来、トナーを用いた複写装置やファクシミリ装置など画像形成装置では、トナーカートリッジなどのトナー補給装置により現像装置にトナーを供給して画像出力の連続運転を行うようにされている。
【０００３】
トナー補給装置による現像装置へのトナーの供給は、トナーカートリッジからトナー搬送装置を介してトナーが供給するようにした方式が知られている。
前記トナー搬送装置は、トナーカートリッジが現像装置の上方に設けられているトナー補給装置においては、上下方向に延びるトナー搬送路が形成されて下方の現像装置にトナーを搬送するようになっている。
【０００４】
ところで、近年、画像形成装置では高画質化が進んでおり、これに伴ってトナーの粒径が微細化されている。微細なトナーは、一般に流動性が悪く、トナー搬送装置のトナー搬送路においてトナーの滞留や凝固が生じ易くなる。したがって、トナー搬送装置においてはこのような問題を解消するための対策が講じられている。
【０００５】
従来技術として、例えば、各色に対応する４個の現像装置が上下方向に並設された画像形成装置において、これら現像装置に対してトナーホッパー（トナーカートリッジに相当）からトナーが供給される。各現像装置は、稼働する際に感光体ドラムと対向させる必要があるために上下移動可能となっている。このために、トナーホッパーのトナーを現像装置に供給するためのトナー搬送路にはジャバラ状パイプを使用したものが提案されている（特許文献１を参照）。
【０００６】
このジャバラ状パイプの側方には、さらに、円周方向に複数の突起部を有しモータに駆動されて回転する回転体が設けられている。即ち、特許文献１では、前記回転体を回転させ、この回転体の突起部によってジャバラ状パイプの外周面を連打し、ジャバラ状パイプの内周面のひだに滞留するトナーを落下させるようにしている。
【０００７】
また、その他の技術として、各色に対応する４個の現像装置が横一列に並設された画像形成装置において、これら現像装置に対応する個々のトナーカートリッジから、第１の搬送路および第２の搬送路を介してトナーが供給され、上下方向（縦方向）に配置された第２のトナー搬送路の内部にスプリングアジテータが設けられ、横方向に配置された第１の搬送路の内部に設けられたオーガの回転に伴って、第２の搬送路の内部においてスプリングアジテータを上下方向に移動させることにより、２の搬送路の内壁へのトナーの付着を防止するようにしたものが提案されている（特許文献２を参照）。
【０００８】
さらに、上述したようにトナー搬送路に振動を付与するようにした構成に加えて、搬送されるトナーの搬送量を制御するトナー（現像剤）搬送制御手段を備えて、トナー搬送路を通って供給されるトナーの量を制御するようにしたものが提案されている（特許文献３を参照）。
【特許文献１】特開平４−１７４４６７号公報
【特許文献２】特開２００１−２９６７３１号公報
【特許文献３】特開２００５−１６５００３号公報
【発明の開示】
【発明が解決しようとする課題】
【０００９】
しかしながら、上記従来の構成では、上下方向に配置されたトナー搬送路でのトナーの滞留や凝固を適切に防止することができないという問題点を有している。
具体的には、特許文献１の構成では、上下方向に配置されたトナー搬送路がジャバラ状パイプからなるため、搬送路の構造上、トナー搬送路内でのトナーの滞留や凝固を容易に防止することができない。また、回転体によってトナー搬送路の一部に対して衝撃あるいは振動を与えるものであるため、回転体の位置から離れた部分において、トナーの滞留や凝固が生じやすくなるという問題もある。
【００１０】
また、特許文献２の構成では、上下方向に配置された第２の搬送路の内部にスプリングアジテータを配置するものであるため、スプリングアジテータの表面においてトナーの滞留や凝が生じ易くなる。即ち、スプリングアジテータ自体がトナー搬送の障害となり易いという問題点を有している。
【００１１】
さらに、特許文献３の構成では、トナー搬送路を通って供給されるトナーの量を制御するため、例えば、トナーが通過する部分の断面積をトナーの供給量に応じて変更可能にするために構成が複雑になり、従って、装置構成が複雑になるとともにメンテナンス性に影響を及ぼすという問題が生じる。
【００１２】
本発明は、上記従来の問題点に鑑みてなされたものであって、簡単な構成でトナー搬送経路の目詰まりの発生を抑制して安定したトナーの搬送を実現することができるトナー搬送装置、トナー補給装置およびこれらを用いた画像形成装置を提供することを目的とする。
【課題を解決するための手段】
【００１３】
上述した課題を解決するための本発明に係るトナー補給装置および現像装置の各構成は、次の通りである。
請求項１に記載したトナー搬送装置は、トナーが収納されるトナー収容部の下方に配置され、前記トナー収納部から供給されたトナーをさらに下方に配置された現像装置に搬送するトナー搬送路を内部に有するトナー搬送装置において、前記トナー搬送路には、トナーを撹拌するためのトナー撹拌翼を有する、例えばトナー搬送パドルのような回転体と、トナー搬送方向に対して略垂直方向に揺動可能な、例えばレバーやほぐし部材のような揺動体とが設けられていることを特徴とするものである。
本発明において、トナー撹拌翼は、回転変位することによりトナーを撹拌するものであって、スリットを有するものや格子状に形成されたものを含むものとする。
【００１４】
請求項２に記載したトナー搬送装置は、請求項１に記載した構成に加えて、前記トナー搬送路の上端側には前記トナー収容部側に連通するトナー導入口を形成し、前記トナー搬送路の下端側には前記現像装置側に連通するトナー排出口を形成し、前記トナー搬送路には、前記トナー導入口からトナー排出口に向かうトナー搬送経路を直線的に構成したことを特徴とするものである。
【００１５】
請求項３に記載したトナー搬送装置は、請求項１または２に記載した構成に加えて、前記回転体を、その回転軸心が前記トナー搬送路のトナー搬送経路の中心線付近を避けて配置することを特徴とするものである。
【００１６】
請求項４に記載したトナー搬送装置は、請求項１乃至３のうちの何れか一項に記載した構成に加えて、前記揺動体を、前記トナー導入口付近から前記トナー排出口付近に渡り延設したことを特徴とするものである。
【００１７】
請求項５に記載したトナー搬送装置は、請求項１乃至４のうちの何れか一項に記載した構成に加えて、前記揺動体を、前記回転体の回転動作に連動して揺動駆動するようにしたことを特徴とするものである。
【００１８】
請求項６に記載したトナー搬送装置は、請求項１乃至５のうちの何れか一項に記載した構成に加えて、前記揺動体を、ばね性を有する部材、例えばばね部材で形成したことを特徴とするものである。
【００１９】
請求項７に記載したトナー搬送装置は、請求項１乃至６のうちの何れか一項に記載した構成に加えて、前記揺動体を、合成樹脂部材で形成したことを特徴とするものである。
【００２０】
また、請求項８に記載したトナー補給装置は、トナーが収容されるトナー収容部と、前記トナー収容部の下方に配置され、前記トナー収納部から供給されたトナーをさらに下方に配置された現像装置に搬送するトナー搬送路を有するトナー搬送部とを備え、前記トナー収容部から供給されるトナーを現像装置に補給するトナー補給装置であって、前記トナー搬送部として、請求項１乃至７のうちの何れか一項に記載のトナー搬送装置を備えたことを特徴とするものである。
【００２１】
また、請求項９に記載した画像形成装置は、トナーが収容されるトナー収容部と、該トナー収容部の下方に配置され、前記トナー収納部から供給されたトナーをさらに下方に配置された現像装置に搬送するトナー搬送路を有するトナー搬送部とを備えて前記トナー収容部から供給されるトナーを前記現像装置に補給するトナー補給装置が搭載された画像形成装置において、前記トナー補給装置として、請求項８に記載のトナー補給装置を備えたことを特徴とするものである。
【発明の効果】
【００２２】
請求項１に記載した発明によれば、トナーが収納されるトナー収容部の下方に配置され、前記トナー収納部から供給されたトナーをさらに下方に配置された現像装置に搬送するトナー搬送路を内部に有するトナー搬送装置において、前記トナー搬送路に、トナーを撹拌するためのトナー撹拌翼を有する、例えばトナー搬送パドルのような回転体と、トナー搬送方向に対して略垂直方向に揺動可能な、例えばレバーやほぐし部材のような揺動体とを設けたことで、前記回転体を回転させてトナー撹拌翼によりトナーを撹拌しながら搬送するとともに、揺動体を揺動させて固まりとなったトナーをほぐすことができるので、簡単な構成でトナー搬送経路の目詰まりの発生を抑制して安定したトナーの搬送を実現できる。
【００２３】
また、請求項１〜９に記載の発明で得られる上記共通の効果に加え、各請求項に記載の発明によれば次の効果を得ることができる。
【００２４】
詳しくは、請求項２に記載した発明によれば、請求項１に記載の発明で得られる効果に加え、前記トナー搬送路の上端側には前記トナー収容部側に連通するトナー導入口を形成し、前記トナー搬送路の下端側には前記現像装置側に連通するトナー排出口を形成し、前記トナー搬送路には、前記トナー導入口からトナー排出口に向かうトナー搬送経路を直線的に構成したことで、トナーをより通過し易くなるのでトナーのブロッキングをより一層抑制することができる。
【００２５】
請求項３に記載した発明によれば、請求項１または２に記載の発明で得られる効果に加え、前記回転体を、その回転軸心が前記トナー搬送路のトナー搬送経路の中心線付近を避けて配置することで、回転体がトナー搬送の妨げにならずに効果的にトナーを搬送することができる。
【００２６】
請求項４に記載した発明によれば、請求項１乃至３のうちの何れか一項に記載した発明で得られる効果に加えて、前記揺動体を、前記トナー導入口付近から前記トナー排出口付近に渡り延設したことで、揺動体の両端部で搬送パドルの届かないトナー導入口付近及びトナー排出口付近のトナーをほぐすことができる。
【００２７】
請求項５に記載した発明によれば、請求項１乃至４のうちの何れか一項に記載した発明で得られる効果に加えて、前記揺動体を、前記回転体の回転動作に連動して揺動駆動するようにしたことで、揺動体を駆動するための駆動源を別途を設ける必要がなく、構成を簡単にできる。
【００２８】
請求項６に記載した発明によれば、請求項１乃至５のうちの何れか一項に記載した発明で得られる効果に加えて、前記揺動体を、ばね性を有する部材、例えばばね部材で形成したことで、ばね部材の反発力を用いて効果的にほぐし作用を得ることができる。
【００２９】
請求項７に記載した発明によれば、請求項１乃至６のうちの何れか一項に記載した発明で得られる効果に加えて、前記揺動体を合成樹脂部材で形成したことで、揺動体を生産する際に部品成型を容易にできるので生産性の向上を図ることができる。
【００３０】
請求項８に記載した発明によれば、トナーが収容されるトナー収容部と、前記トナー収容部の下方に配置され、前記トナー収納部から供給されたトナーをさらに下方に配置された現像装置に搬送するトナー搬送路を有するトナー搬送部とを備え、前記トナー収容部から供給されるトナーを現像装置に補給するトナー補給装置であって、前記トナー搬送部として、請求項１乃至７のうちの何れか一項に記載のトナー搬送装置を備えたことで、供給されるトナーがトナー搬送路上で詰まることなく現像装置への安定したトナー補給が可能となり、現像装置から高品位の画像を安定して出力することができる。
【００３１】
請求項９に記載した発明によれば、トナーが収容されるトナー収容部と、該トナー収容部の下方に配置され、前記トナー収納部から供給されたトナーをさらに下方に配置された現像装置に搬送するトナー搬送路を有するトナー搬送部とを備えて前記トナー収容部から供給されるトナーを前記現像装置に補給するトナー補給装置が搭載された画像形成装置において、前記トナー補給装置として、請求項８に記載のトナー補給装置を備えたことで、供給されるトナーがトナー搬送路上で詰まることなく安定したトナー補給が可能となり、しかも大量印刷に最適な画像形成装置を実現できる。
【発明を実施するための最良の形態】
【００３２】
以下、本発明を実施するための最良の形態について図面を参照して説明する。
図１は発明を実施する形態の一例であって、本発明に係るトナー搬送装置が採用された画像形成装置の全体の構成を示す説明図である。
【００３３】
本実施形態は、図１に示すように、現像ローラ２３１により供給される現像剤によって画像データに基づき感光体ドラム２１（２１ａ，２１ｂ，２１ｃ，２１ｄ）に形成された現像剤像を転写行程を経て記録用紙に転写する画像形成装置１に用いられる現像装置２３（２３ａ，２３ｂ，２３ｃ，２３ｄ）であって、トナーが収容されるトナーボトル（トナー収容部）２００（２００ａ，２００ｂ，２００ｃ，２００ｄ）と、該トナーボトル２００から供給されるトナーを貯留して撹拌した後に現像装置２３に供給するトナー供給装置としてトナー補給部装着機構６００（６００ａ，６００ｂ，６００ｃ，６００ｄ）とトナー搬送装置として補給用通路体６１２（６１２ａ，６１２ｂ，６１２ｃ，６１２ｄ）とを備えたトナー補給装置１００（１００ａ，１００ｂ，１００ｃ，１００ｄ）を搭載して、該現像装置２３にトナーを自動供給するようにしたものである。
【００３４】
本実施形態に係る現像装置２３が装着される画像形成装置１は、図１に示すように、色分解された画像情報に応じて各色相に合致した現像剤（以下、トナーと称する。）により形成される現像剤像（以下、トナー像と称する。）が形成される感光体ドラム２１（２１ａ，２１ｂ，２１ｃ，２１ｄ）と、この感光体ドラム２１の表面に前記現像剤を供給する現像装置２３（２３ａ，２３ｂ，２３ｃ，２３ｄ）とを備えた複数のプロセス印刷ユニット（画像形成手段）２０（２０ａ，２０ｂ，２０ｃ，２０ｄ）を備え、さらに、画像情報に基づいて色毎に各々の感光体ドラム２１上にレーザ光（ビーム）を照射して静電潜像を生成する露光ユニット（光走査装置）１０と、供給された記録用紙を搬送する無端の転写ベルト３１を備えた転写ベルトユニット３０と、加熱ローラ２７ａと加圧ローラ２７ｂとにより記録用紙に転写されたトナー像を熱定着させる定着ユニット２７とを備えている。
【００３５】
まず、画像形成装置１の全体構成について説明する。
本実施形態に係る画像形成装置１は、図１に示すように、画像情報を色分解して色相毎に画像を形成してカラー画像を出力するようにした、いわゆるデジタルカラープリンタであって、大略的に画像形成部１０８と給紙部１０９とにより構成され、外部に接続されたパーソナルコンピュータ等の情報処理装置（図示省略）からの印刷ジョブに基づいて多色画像又は単色画像を記録用紙上に形成するものである。
【００３６】
画像形成部１０８は、電子写真方式で、イエロー（Ｙ）、マゼンタ（Ｍ）、シアン（Ｃ）、ブラック（ＢＫ）の各色を用いて多色画像を形成するものであって、主に、露光ユニット１０、プロセス印刷ユニット２０、定着ユニット２７、転写ベルト３１を備える転写手段としての転写ベルトユニット３０、転写ローラ３６、転写ベルトクリーニングユニット３７とにより構成されている。
【００３７】
画像形成部１０８の概略構成は、画像形成装置１の筐体１ａの一端側の上部に定着ユニット２７を配置し、該定着ユニット２７の下方に筐体１ａの一端側から他端側に渡り転写ベルトユニット３０を配置するとともに、該転写ベルトユニット３０の下方にプロセス印刷ユニット２０を配置し、さらに該プロセス印刷ユニット２０の下方に露光ユニット１０を配置している。
【００３８】
また、転写ベルトユニット３０の他端側には転写ベルトクリーニングユニット３７が設けられている。さらに、画像形成部１０８の上部には定着ユニット２７に隣接して排紙トレイ４３が設けられている。そして、この画像形成部１０８の下側に給紙部１０９が構成されている。
【００３９】
本実施形態では、プロセス印刷ユニット２０として、ブラック（ＢＫ）、イエロー（Ｙ）、マゼンタ（Ｍ）、シアン（Ｃ）の各色に対応した４個のプロセス印刷ユニット２０ａ，２０ｂ，２０ｃ，２０ｄが転写ベルト３１に沿って順次設けられている。
【００４０】
これらプロセス印刷ユニット２０（２０ａ，２０ｂ，２０ｃ，２０ｄ）は、筐体１ａ内で略水平方向（図中の左右方向）に平行して並設され、色毎に像担持体たる感光体ドラム２１（２１ａ，２１ｂ，２１ｃ，２１ｄ）、該感光体ドラム２１を帯電させる帯電器（帯電手段）２２（２２ａ，２２ｂ，２２ｃ，２２ｄ）、現像装置（現像手段）２３（２３ａ，２３ｂ，２３ｃ，２３ｄ）、クリーナユニット２４（２４ａ，２４ｂ，２４ｃ，２４ｄ）等をそれぞれ備えている。
【００４１】
ここで、色毎に対応する構成要素に付したａ，ｂ，ｃ，ｄの記号は、それぞれブラック（ＢＫ）、イエロー（Ｙ）、マゼンタ（Ｍ）、シアン（Ｃ）の各色に対応するように記載したものであるが、以下の説明において、特定の色に対応する構成要素を指定して説明する場合を除き、各色に対して設けられている構成要素をまとめて、感光体ドラム２１、帯電器２２、現像装置２３、クリーナユニット２４と記載するものとする。
【００４２】
感光体ドラム２１は、外周面の一部が転写ベルト３１の表面に接触するように配置されるとともに、ドラムの外周面に沿って電界発生部としての帯電器２２、現像装置２３、及びクリーナユニット２４が近接配置されている。
【００４３】
帯電器２２は、コロナワイヤーチャージャー型帯電器が用いられ、感光体ドラム２１を挟んで転写ベルトユニット３０が配置する位置と略反対側で感光体ドラム２１の外周面に沿って近接配置されている。尚、本実施形態では帯電器２２としてコロナワイヤーチャージャー型帯電器を用いているが、コロナワイヤーチャージャー型帯電器の代わりにファーブラシ型帯電器、磁気ブラシ型帯電器、ローラ型帯電器、ノコ歯型帯電器、イオン発生帯電装置等、感光体ドラムに所望の帯電性を付与できるものであれば特に限定せず使用可能である。
【００４４】
現像装置２３は、イエロー（Ｙ）、マゼンタ（Ｍ）、及びシアン（Ｃ）、ブラック（ＢＫ）の各色のトナーが各色ずつ現像装置２３ａ，２３ｂ，２３ｃ，２３ｄ毎に収納されており、感光体ドラム回転方向（図中の矢印Ａ方向）で帯電器２２より下流側に配置されている。
【００４５】
現像装置２３ａ，２３ｂ，２３ｃ，２３ｄには、高速、且つ大量印刷に対応可能にするために、それぞれの現像装置２３ａ，２３ｂ，２３ｃ，２３ｄに現像剤を補給するための５個のトナー補給部５００ａ，５００ｂ，５００ｃ，５００ｄを備えたトナー補給装置１００ａ，１００ｂ，１００ｃ，１００ｄが設けられ、それぞれ現像ローラ２３１ａ，２３１ｂ，２３１ｃ，２３１ｄが感光体ドラム２１ａ，２１ｂ，２１ｃ，２１ｄに対向して配置されて、それぞれ感光体ドラム２１ａ，２１ｂ，２１ｃ，２１ｄの外周面に形成された静電潜像に各色のトナーを供給して顕像化するように構成されている。
【００４６】
補給用の現像剤として、トナー補給部５００ａにはブラック（ＢＫ）の現像剤、トナー補給部５００ｂにはシアン（Ｃ）の現像剤、トナー補給部５００ｃにはマゼンタ（Ｍ）の現像剤、トナー補給部５００ｄにはイエロー（Ｙ）の現像剤が収納されている。
尚、ブラック（ＢＫ）の現像剤用のトナー補給部５００ａは、通常多く用いられるモノ黒印字を考慮して大量印刷が可能なように並列して２個設けられている。
【００４７】
そして、各トナー補給部５００は、それぞれ対応する現像剤を用いて現像する現像装置２３のほぼ真上に配置されており、対応する現像装置２３それぞれに対して、現像剤の補給用通路体（トナー搬送装置）６１２（６１２ａ，６１２ｂ，６１２ｃ，６１２ｄ）を介して接続されている。
【００４８】
なお、ブラック（ＢＫ）の現像剤を補給するための補給用通路体６１２ａは、２つのトナー補給装置１００ａ，１００ａからの現像剤を一つにまとめて現像装置２３ａに補給するような構造となっている。
【００４９】
クリーナユニット２４は、感光体ドラム回転方向で帯電器２２より上流側に配置されている。また、クリーナユニット２４は、クリーニングブレード２４１を備え、該クリーニングブレード２４１を感光体ドラム２１の外周面に沿って当接配置し、該感光体ドラム２１上の残留トナーを掻き取り回収するように構成されている。図中の符号２４２は回収したトナーを搬送する搬送スクリューである。
【００５０】
本実施例ではクリーニングブレード２４１を用いたが、特にこれらの構成に限定されるものではなく、クリーニングブレードは１つ以上用いても良いし、ファーブラシや磁気ブラシを単独で用いても良い。またクリーニングブレードとファーブラシ、磁気ブラシを併用しても良い。該感光体ドラム２１上の残留トナーを掻き取り回収するように構成されるものであれば使用できる。
【００５１】
露光ユニット１０は、主に、箱状に形成された筐体１０ａと、その内部に配置されるレーザ照射部１１ａを備えたレーザスキャニングユニット（ＬＳＵ）１１、ポリゴンミラー１２、及び色毎にレーザ光を反射する反射ミラー１３ａ，１３ｂ，１３ｃ，１３ｄ，１４ａ，１４ｂ，１４ｃ等により構成されている。
【００５２】
レーザスキャニングユニット１１のレーザ照射部から発せられたレーザ光は、図示しないポリゴンミラー及びｆθレンズにより色分解された後、反射ミラー１３ａ〜１３ｃで反射して、色毎にそれぞれの感光体ドラム２１ａ，２１ｂ，２１ｃ，２１ｄ上に照射されるようになっている。
【００５３】
尚、レーザスキャニングユニット１１は、レーザ照射部の代わりにＥＬ（Electro Luminescence）、ＬＥＤ（Light Emitting Diode）等の発光素子をアレイ状に並べた書込ヘッドを用いる構成であっても良いし、光源と液晶シャッターを用いた構成であっても良く、該感光体ドラム２１上に静電潜像を形成できる手段であれば使用できる。
【００５４】
転写ベルトユニット３０は、図１に示すように、主に、転写ベルト３１、転写ベルト駆動ローラ３２、転写ベルト従動ローラ３３、中間転写ローラ３５ａ，３５ｂ，３５ｃ，３５ｄとにより構成されている。
【００５５】
尚、以下の説明においては、中間転写ローラ３５ａ，３５ｂ，３５ｃ，３５ｄを総じて用いる場合には中間転写ローラ３５と記載するものとする。
【００５６】
転写ベルト３１は、厚さ７５μｍ〜１２０μｍ程度のフィルムを用いて無端状に形成されている。転写ベルト３１の材質は、主にポリイミド、ポリカーボネイト、サーモプラスチックエラストマーアロイ等が用いられている。
【００５７】
また、転写ベルト３１は、その表面が感光体ドラム２１の外周面と接触するように、転写ベルト駆動ローラ３２、転写ベルト従動ローラ３３、中間転写ローラ３５により張架され、該転写ベルト駆動ローラ３２の駆動力により副走査方向（図中の矢印Ｂ方向）へ移動するように構成されている。
【００５８】
転写ベルト駆動ローラ３２は、筐体１ａの一端側に配置され、転写ベルト３１に駆動を掛けて該転写ベルト３１を搬送するとともに、転写ベルト３１と記録用紙とを重ね合わせた状態で転写ローラ３６とで挟み込んで圧接しながら記録用紙を搬送するように設けられている。
【００５９】
転写ベルト従動ローラ３３は、筐体１ａの他端側に配置され、転写ベルト駆動ローラ３２とともに転写ベルト３１を定着ユニット２７側から筐体１ａの他端側に渡り略水平に架設しているが、図１中の画像形成装置１の横幅方向の寸法を小さくする場合、いわゆる幅方向の設置面積を省スペース化する場合には、転写ベルト駆動ローラ３２とともに転写ベルト３１を定着ユニット２７側から筐体１ａの他端側に渡り、いずれか一方に傾斜を持たせることも可能であり、それに伴う感光体、現像、レーザ照射部、定着等、種々適切な配置、大きさ等に、適宜設定しても構わない。
【００６０】
中間転写ローラ３５は、転写ベルト駆動ローラ３２から転写ベルト従動ローラ３３に渡り巻回された転写ベルト３１の内側空間に配置されているが、軸心を感光体ドラム２１に対して図中左右方向に転写ベルト３１の移動方向下流側にずらした位置に配置され、転写ベルト３１の内側面を押圧して、前記転写ベルト３１の外側面が感光体ドラム２１の外周面の一部を巻回して所定のニップ量を得るように設けてもよい。
【００６１】
また、中間転写ローラ３５は、直径８〜１０ｍｍの金属類（例えば、ステンレス）軸を備え、その金属軸の外周面にＥＰＤＭ、発泡ウレタン等の導電性を有する弾性材が被覆されているが、これら弾性材に限定しなくとも良い。
【００６２】
このように構成された中間転写ローラ３５は、感光体ドラム２１に形成されたトナー像を転写ベルト３１に転写するために高電圧の転写バイアス、すなわち、トナーの帯電極性（−）とは逆極性（＋）の高電圧が印加され、弾性材により転写ベルト３１に対して均一的に高電圧を印加するようにされている。
【００６３】
上述の各感光体ドラム２１上で各色相に応じた顕像化されトナー像（静電像）が転写ベルト３１で積層され、装置に入力された画像情報となる。このように積層された画像情報は、転写ベルト３１の接触位置に配置される転写ローラ３６によって記録用紙に転写されるようになっている。
【００６４】
転写手段を構成する転写ローラ３６は、転写ベルト３１に転写された現像剤像を記録用紙に転写する転写手段を構成するものであって、転写ベルト駆動ローラ３２に対して略水平で平行に対向し、該転写ベルト駆動ローラ３２に巻回される転写ベルト３１に対して所定のニップで圧接するように配設され、該転写ベルト３１上に形成された多色トナー像を記録用紙上に転写させるための電圧、すなわち、トナーの帯電極性（−）とは逆極性（＋）の高電圧が印加されるように構成されている。
【００６５】
また、転写ベルト３１と転写ローラ３６との間のニップを定常的に得るために、転写ベルト駆動ローラ３２又は転写ローラ３６の何れか一方のローラを金属等の硬質材料により構成し、他方のローラを弾性ゴム、発泡性樹脂等の軟質材料により構成するようにしている。
【００６６】
転写ベルト駆動ローラ３２と転写ローラ３６の下方にはレジストローラ２６が設けられている。レジストローラ２６は、給紙部１０９から供給された記録用紙の先端と転写ベルト３１上のトナー像の先端とを整合して転写ローラ３６側へ搬送するように構成されている。
【００６７】
また上記のように、感光体ドラム２１との接触により転写ベルト３１に付着したトナー、または転写ローラ３６によって記録用紙上に転写画行われずに転写ベルト３１残存したトナーは、次工程でトナーの混色を発生させる原因となるため、転写ベルトクリーニングユニット３７によって除去・回収されるように設定されている。
【００６８】
転写ベルトクリーニングユニット３７は、転写ベルト従動ローラ３３の近傍に設けられ、転写ベルト３１に当接（または摺接）するように配置したクリーニングブレード３７ａと、該クリーニングブレード３７ａにより転写ベルト３１上の残留トナーを掻き取ったトナー（廃トナー）を一旦収納するボックス状のトナー回収部３７ｂとを備え、転写ベルト３１上の残留トナーを掻き取り回収するようにされている。
【００６９】
また、転写ベルトクリーニングユニット３７は、プロセス印刷ユニット２０ａより転写ベルト３１の移動方向上流側で該プロセス印刷ユニット２０ａに近接して配置されている。また、転写ベルト３１のクリーニングブレード３７ａが外側面に接触する部分は、その内側面が転写ベルト従動ローラ３３で支持されている。
【００７０】
定着ユニット２７は、図１に示すように、加熱ローラ２７ａと加圧ローラ２７ｂとにより構成された一対の定着ローラ２７１と、その定着ローラ２７１の上方に搬送ローラ２７ｃを備え、記録用紙を定着ローラ２７１の下方より搬入して、搬送ローラ２７ｃの上方に搬出するようにされている。
【００７１】
さらに、定着ユニット２７の上方には排紙ローラ２８が設けられ、搬送ローラ２７ｃから搬送された記録用紙を該排紙ローラ２８により排紙トレイ４３上に記録用紙を排紙するようにされている。
【００７２】
定着ユニット２７によるトナー像の定着は、加熱ローラ２７ａの内部若しくは近接して設けられたヒータランプ等の加熱手段（図示省略）を温度検出器（図示省略）の検出値に基づいて制御することにより、加熱ローラ２７ａを所定の温度（定着温度）に保つとともに、トナー像が転写された記録用紙を加熱ローラ２７ａと加圧ローラ２７ｂとにより挟んで回転搬送しながら加熱・加圧することで記録用紙上にトナー像を熱定着するようにされている。
【００７３】
また、定着ユニット２７に隣接して、両面印刷用の両面原稿搬送路Ｓ３が定着ユニット２７の後方から下方に向かい給紙部１０９付近まで構成され、その両面原稿搬送路Ｓ３上に上下方向で並設された搬送ローラ２９ａ，２９ｂにより記録用紙を反転させた状態で、再び転写ローラ３６に向かい搬送するようになっている。
【００７４】
具体的には、搬送ローラ２９ａは定着ユニット２７の後方に配置され、搬送ローラ２９ｂは、上下方向で搬送ローラ２９ａの下方に位置するとともに、横方向でレジストローラ２６と略同じ位置に配置されている。
【００７５】
本実施例ではヒータランプ等の加熱手段の加熱ローラ２７ａと加圧ローラ２７ｂを用いたが、誘導加熱方式を用いても良いし、併用しても構わない。また加圧にローラ状のものを用いなくとも良く、記録用紙上にトナー像を乱すことなく一様に熱定着できる適切な方法であれば特に手段は選ばない。
【００７６】
給紙部１０９は、画像形成に使用する記録用紙を収容するための手差トレイ４１、給紙カセット４２を備え、手差トレイ４１、給紙カセット４２から記録用紙を一枚ずつ画像形成部１０８に供給するようにされている。
【００７７】
手差トレイ４１は、図１に示すように、画像形成装置１の筐体１ａの一側端（図中で右側）に、使用時には外方に拡開され、未使用時には一側端に収納可能に設けられ、利用者が所望する種類の記録用紙を少数枚（必要とする枚数）だけ載置して画像形成装置１の筐体１ａ内部に１枚ずつ取込むものである。
【００７８】
手差トレイ４１による記録用紙の給紙方向（図中の矢印Ｃ方向）下流側の画像形成装置１の筐体１ａ内には、露光ユニット１０の側方にピックアップローラ４１ａが設けられ、さらに給紙方向下流側に搬送ローラ４１ｂが略水平に設けられている。
【００７９】
ピックアップローラ４１ａは、手差トレイ４１から給紙された記録用紙の一端部の表面と接触して、ローラの摩擦抵抗により一枚ずつ確実に搬送するようになっている。
【００８０】
前述したピックアップローラ４１ａ及び搬送ローラ４１ｂ，４１ｃ，４１ｄによって記録用紙搬送路Ｓ１が構成されている。
【００８１】
一方、給紙カセット４２は、筐体１ａ内の画像形成部１０８及び露光ユニット１０の下側に設けられ、装置の仕様により規定されたサイズ、又は利用者が予め定めたサイズの記録用紙を大量に収容可能となっている。
【００８２】
給紙カセット４２の一端部（図中の左側端部）の上にはピックアップローラ４２ａが設けられ、該ピックアップローラ４２ａの記録用紙搬送方向下流側には搬送ローラ４２ｂが設けられている。
【００８３】
ピックアップローラ４２ａは、出力要求に応じて給紙カセット４２にセットされた記録用紙の最上部にある記録用紙の一端部の表面と接触して、ローラの摩擦抵抗により一枚ずつ確実に繰り出して搬送するようになっている。
【００８４】
搬送ローラ４２ｂは、ピックアップローラ４２ａから繰り出された記録用紙を、筐体１ａ内の一端側に形成された記録用紙搬送路Ｓ２に沿って上方に向かい画像形成部１０８に搬送するようになっている。
【００８５】
次に、本実施形態の画像形成装置１による画像出力について説明する。
画像形成装置１は、給紙部１０９から供給される記録用紙上に感光体ドラム２１上のトナー像をいわゆる中間転写方式（オフセット方式）によって転写ベルト３１を介して記録用紙に転写するようにされている。
【００８６】
まず、帯電器２２により感光体ドラム２１の外周面を所定の電位に均一的に帯電する。帯電された感光体ドラム２１に露光ユニット１０からレーザ光を照射することで、色毎の感光体ドラム２１上に色毎の静電潜像が生成される。
【００８７】
次に、現像装置２３（２３ａ，２３ｂ，２３ｃ，２３ｄ）より感光体ドラム２１（２１ａ，２１ｂ，２１ｃ，２１ｄ）のそれぞれの外周面にトナーが供給されて、感光体ドラム２１の外周面に形成された静電潜像がトナーによりトナー像として顕像化される。
【００８８】
そして、感光体ドラム２１に生成したトナー像が転写ベルト３１に転写される。
感光体ドラム２１から転写ベルト３１へのトナー像の転写は、転写ベルト３１の裏側に接触配置された中間転写ローラ３５に高電圧を印加することにより行われる。
【００８９】
中間転写ローラ３５にトナーの帯電極性（−）とは逆極性（＋）の高電圧を印加することで、転写ベルト３１は、この中間転写ローラ３５により均一的に高電圧が印加されて逆極性（＋）となる。これにより、感光体ドラム２１上の帯電極性（−）のトナー像は、感光体ドラム２１が転写ベルト３１と回転接触する際に転写ベルト３１上に転写される。
【００９０】
各々の感光体ドラム２１に形成された各色のトナー像は、転写ベルト３１が移動しながら各々の感光体ドラム２１と回転接触するに従いイエロー（Ｙ）、マゼンタ（Ｍ）、シアン（Ｃ）、ブラック（ＢＫ）の順に重ねて転写され、転写ベルト３１上にはカラーのトナー像が形成される。
【００９１】
このようにして、色毎に感光体ドラム２１上でトナーにより顕像化された静電潜像は転写ベルト３１上で積層され、印刷用画像が多色トナー像として転写ベルト３１上に再現される。
【００９２】
そして、転写ベルト３１上に転写された多色トナー像は、転写ベルト３１が移動して記録用紙と該転写ベルト３１とが重なり合う位置で、転写ローラ３６によって転写ベルト３１から記録用紙上に転写される。
【００９３】
感光体ドラム２１と接触することで転写ベルト３１に付着したトナー、又は転写ローラ３６によって記録用紙上に転写が行われずに転写ベルト３１上に残留したトナーは、次工程でトナーの混色を発生させる原因となるため、転写ベルトクリーニングユニット３７によって除去および回収される。
【００９４】
次に、給紙部１０９による記録用紙の供給動作について説明する。
手差トレイ４１に載置された記録用紙を用いる場合は、操作パネル（図示省略）の指示により制御されたタイミングで、図１に示すように、ピックアップローラ４１ａにより手差トレイ４１内から記録用紙が１枚ずつ装置内部に取り込まれる。
【００９５】
装置内部に取り込まれた記録用紙は、搬送ローラ４１ｂにより記録用紙搬送路Ｓ１に沿って画像形成部１０８へ搬送される。
【００９６】
一方、給紙カセット４２に収容された記録用紙を用いる場合は、出力要求に応じてピックアップローラ４２ａにより給紙カセット４２内から記録用紙が１枚ずつ分離給送され、搬送ローラ４２ｂにより記録用紙搬送路Ｓ２に沿って上方の画像形成部１０８へ搬送される。
【００９７】
手差トレイ４１、給紙カセット４２から搬送された記録用紙は、レジストローラ２６により記録用紙の先端と転写ベルト３１上のトナー像の先端とを整合するタイミングで転写ローラ３６側へ搬送されて、転写ベルト３１上のトナー像が記録用紙上に転写される。
【００９８】
トナー像が転写された記録用紙は、略垂直に搬送されて定着ユニット２７に到達し、定着ユニット２７において、加熱ローラ２７ａと加圧ローラ２７ｂとによりトナー像が記録用紙に熱定着される。
【００９９】
定着ユニット２７を通過した記録用紙は、片面印刷要求の場合、排紙ローラ２８により排紙トレイ４３上にフェイスダウンで排出される。
【０１００】
一方、両面印刷要求の場合は、排紙ローラ２８により記録用紙をチャックした後、該排紙ローラ２８を逆回転させて記録用紙を両面原稿搬送路Ｓ３へ導き、搬送ローラ２９ａ，２９ｂにより再度レジストローラ２６へ搬送する。
【０１０１】
この時、記録用紙は、転写される面が反転するとともに搬送される前後方向が変わる。つまり、最初の転写時にスタート側となる端部が裏面転写時にはエンド側となり、最初の転写時にエンド側となる端部が裏面転写時にはスタート側となる。
【０１０２】
そして、記録用紙の裏面にトナー像を転写及び熱定着させた後、排紙ローラ２８により排紙トレイ４３上に排出される。
このようにして、記録用紙への転写動作が行われる。
【０１０３】
次に、本実施形態に係る現像装置２３とトナー補給装置１００の構成について図面を参照して詳細に説明する。
図２は本実施形態の画像形成装置を構成する現像装置とトナー補給装置の構成を示す概略側面断面図、図３は前記現像装置とトナー補給装置の構成を示す正面から見た概略図、図４は本実施形態に係る画像形成装置に搭載される現像装置の構成を示す斜視図、図５は本実施形態に係るトナー補給装置を構成するトナー補給部装着機構にトナー補給部を装着した場合の装着例を示す斜視図、図６は前記トナー補給部装着機構の構成を示す斜視図、図７は前記トナー補給部装着機構の構成を示す説明図、図８は前記トナー補給部装着機構と現像装置とを連結する補給用通路体の構成を示す説明図である。
【０１０４】
まず、現像装置２３について説明する。
現像装置２３は、図２，図３，図４に示すように、外装部を形成する筐体２３４の上部には現像剤を導入するためのトナー導入口２３４ａが開口形成され、筐体２３４内部には現像ローラ２３１、第１トナー搬送ローラ２３２、第２トナー搬送ローラ２３３が配置され、該現像ローラ２３１を感光体ドラム２１と対向させて当接または近接させた状態で画像形成装置本体に装着される。現像装置２３のトナー導入口２３４ａは、トナー補給部装着機構６００のトナー導入口６１１と同一側で転写ベルト幅Ｗよりも外側に形成されている。
【０１０５】
第１トナー搬送ローラ２３２及び第２トナー搬送ローラ２３３は、筐体２３４の底部側で互いに現像ローラ２３１の軸心方向に沿って平行に配置され、筐体２３４内に供給されたトナーを現像剤とともに撹拌しながら現像ローラ２３１に搬送するようになっている。現像ローラ２３１は、第２トナー搬送ローラ２３３の上側で開口部２３５から露出した状態で配置されている。
【０１０６】
筐体２３４は、画像形成装置本体に装着した状態で、転写する方向（転写ベルト搬送方向）に対して直角の方向（転写ベルト幅方向）に長い箱状を呈し、現像装置２３を画像形成装置本体に装着した状態で内在する現像ローラ２３１と感光体ドラム２１とが対向するように開口部２３５が開口形成されている。
【０１０７】
開口部２３５は、少なくとも現像ローラ２３１が感光体ドラム２１と対向して当接可能に現像ローラ２３１の軸心方向に沿って筐体２３４の幅方向に長く開口形成されている。開口部２３５の図中下側端縁には、現像ローラ２３１に軸心方向に沿ってブレード２３６が設けられている。ブレード２３６は、該ブレード２３６の端縁と現像ローラ２３１の表面との間に所定の隙間を形成するように設けられ、この隙間より現像ローラ２３１の表面に所定量のトナーを供給するようになっている。
このように構成された現像装置２３の上側にトナー補給装置１００が配設されている。
【０１０８】
次に、トナー補給装置１００の特徴的な構成について図面を参照して説明する。
【０１０９】
トナー補給装置１００は、図２，図３に示すように、主に、現像剤であるトナーを収容しているトナーボトル（トナー収容部）２００、該トナーボトル２００を一端部側で回動可能に支持するボトル支持部材３００とを有するトナー補給部５００、このトナー補給部５００が装着されて現像装置２３にトナーを供給するトナー補給部装着機構（トナー供給装置）６００、及び補給用通路体６１２により構成されている。
本実施形態では、画像形成装置１に搭載されるトナー補給装置１００（１００ａ，１００ｂ，１００ｃ，１００ｄ）を構成するトナー補給部５００ａ，５００ｂ，５００ｃ，５００ｄは何れも同じ構造とする。
【０１１０】
トナーボトル２００は、図５に示すように、略円筒状に形成された本体部２０１からなり、その先端部がボトル支持部材３００により支持されている。
ボトル支持部材３００は、略円筒形状に形成されており、本体部２０１の先端部を覆うよう構成されている。
【０１１１】
トナー補給部装着機構６００は、図１に示すように、トナー補給部５００を、転写ベルトユニット３０を挟んで現像装置２３と略平行に対向して配置するように構成されている。黒色トナー用のトナー補給部装着機構６００には、黒色トナーを収容するトナー補給部５００ａが２個まとめて装着できるようになっている。
【０１１２】
トナー補給部装着機構６００は、図３，図５に示すように、上部にトナー補給部５００が装着される装着台６０２が転写ベルト搬送方向に対して略直角方向（転写ベルト幅方向）に長く延設されている。
【０１１３】
トナー補給部５００は、図５に示すように、ボトル支持部材３００側で駆動機構７０１側に固定されると共に、反対側でトナーボトル２００が保持ベルト７０２により固定されている。
【０１１４】
駆動機構７０１には、トナー補給部５００が装着台６０２に装着されたときに、前述したボトル支持部材３００により回転可能に支持されたトナーボトル２００に駆動力（回転力）を伝達する駆動部（図示せず）が設けられている。駆動部は、通常、モータで構成され、トナーを供給する状態に応じて運転制御されている。
【０１１５】
一方、保持ベルト７０２は、トナー補給部５００が装着台６０２に装着されたときに、該トナー補給部５００のトナーボトル２００を保持するようになっており、装着台６０２に着脱可能に設けられている。尚、保持ベルト７０２は、トナーボトル２００を保持する際に、該トナーボトル２００が回転可能な程度の隙間を開けているか、あるいは回転可能な程度の摩擦力で該トナーボトル２００に接触するように装着台６０２に装着される。
【０１１６】
トナー補給部装着機構６００において、トナー補給部５００が搭載される装着台６０２は、図６に示すように、上面のトナー補給部５００のボトル支持部材３００が装着される一端側にはトナー導入口６１１（６１１ａ，６１１ｂ，６１１ｃ，６１１ｄ）が形成され、下側面には該トナー導入口６１１からトナー補給部装着機構６００の下方に設けられている現像装置２３に連通するトナー搬送用の補給用通路体６１２（６１２ａ，６１２ｂ，６１２ｃ，６１２ｄ）が設けられている。
尚、図６では、説明の便宜上、黒色トナーのトナー補給部５００ａに対応する装着台の一部を省略して記載している。
【０１１７】
トナー補給部装着機構６００は、図３，図６に示すように、転写ベルト搬送方向に対して直角方向の転写ベルト幅Ｗより外側に設けられたトナー導入口６１１よりトナー補給部５００から供給されるトナーを導入するようになっている。
【０１１８】
装着台６０２は、図７に示すように、転写ベルト幅方向に長い箱状で形成された筐体６１０ａを備え、その筐体６１０ａの内部に現像ローラ２３１の軸線方向と平行に設けられた第１トナー撹拌シャフト（トナー搬送手段）６１０ｂと第２トナー撹拌シャフト（トナー搬送手段）６１０ｃとが並設して配置されている。
【０１１９】
筐体６１０ａ内部は、隔壁体６１０ｄにより第１トナー撹拌シャフト６１０ｂが配置される第１トナー室（トナー貯留部）６１０ｅと第２トナー撹拌シャフト６１０ｃが配置される第２トナー室（トナー貯留部）６１０ｆとに分割形成されている。
【０１２０】
第１および第２トナー撹拌シャフト６１０ｂ，６１０ｃは、それぞれトナーを撹拌、搬送するためのスクリュー６１０ｂ１，６１０ｃ１が設けられ、また、筐体６１０ａの他端側６１０ａ２に設けられた駆動ギア６１０ｂ２，６１０ｃ２を介して図示しない駆動モータにより回転するようになっている。
【０１２１】
また、第１および第２トナー撹拌シャフト６１０ｂ，６１０ｃは、それぞれトナー搬送方向下流側端部にトナー受け板６１０ｂ３，６１０ｃ３が設けられ、搬送されたトナーを受けるようになっている。
【０１２２】
尚、トナー撹拌用手段としてスクリュー６１０ｂ１，６１０ｃ１に限定されるものではなく、例えば、第１および第２トナー撹拌シャフト６１０ｂ，６１０ｃにトナー搬送方向に対して傾斜した複数の撹拌板を設けたものであっても良く、同様な作用を奏し得るものであれば他の構成であっても良い。
【０１２３】
隔壁体６１０ｄは、筐体６１０ａ内で第１トナー撹拌シャフト６１０ｂと第２トナー撹拌シャフト６１０ｃに沿って筐体幅方向に渡り形成され、筐体６１０ａの両側壁付近では第１トナー室６１０ｅと第２トナー室６１０ｆとが連通可能にトナー室連通口６１０ｄ１，６１０ｄ２が開口形成されている。このトナー室連通口６１０ｄ１，６１０ｄ２を通ってトナーが第１トナー室６１０ｅから第２トナー室６１０ｆへ、及び第２トナー室６１０ｆから第１トナー室６１０ｅへと循環するようになっている。
【０１２４】
筐体６１０ａの一端側６１０ａ１には、上方に配置されたトナーボトル２００から供給されるトナーを導入するトナー導入口６１１と、下方に配置されて現像装置２３にトナーを導入する補給用通路体６１２に筐体６１０ａ内部のトナーを供給するトナー供給口６１０ａ４とが設けられている。
【０１２５】
トナー導入口６１１は、筐体６１０ａの一端側６１０ａ１から他端側６１０ａ２に向かいトナーを撹拌、搬送する第１トナー撹拌シャフト６１０ｂの一部と対向する位置に開口形成されている。
一方、トナー供給口６１０ａ４は、筐体６１０ａの他端側６１０ａ２から一端側６１０ａ１に向かいトナーを撹拌、搬送して循環する第２トナー撹拌シャフト６１０ｃの一部と対向する位置に開口形成されている。
【０１２６】
シアン、マゼンタ、イエローのトナー用のトナー補給部５００の装着台６０２に設けられた補給用通路体６１２ｂ，６１２ｃ，６１２ｄは、図８に示すように、図中上部がトナー補給部装着機構６００と一体的に設けられ、一方、下部には、現像装置２３と着脱可能に構成された現像装置取付部６１２Ａが設けられている。
【０１２７】
補給用通路体６１２ｂの上部にはトナーを導入するためのトナー導入口６１２ｂ１が開口形成され、このトナー導入口６１２ｂ１から下部に形成されたトナー排出口６１２ａ１に渡りトナーを通過させるトナー通路（トナー搬送路）６１２ｃ１が上下方向で略直線状に設けられている。
【０１２８】
一方、黒色トナー用のトナー補給部５００ａの装着台６０２に設けられた補給用通路体６１２ａは、図６に示すように、２つのトナー補給部５００ａに対応するそれぞれのトナー導入口６１１ａ，６１１ａから導入されるトナーを一つにまとめて一時的に貯留し、そこでトナーをさらに撹拌して一つの黒色用の現像装置２３ａに設けられたトナー導入口２３４ａから送り込むように構成されている。すなわち、この補給用通路体６１２ａは、トナーを撹拌して搬送する機能を有することを特徴としている。
【０１２９】
ここで、本発明に係る特徴的な補給用通路体６１２の構成について、図面を参照して説明する。
図９（ａ）は本実施形態に係るトナー補給装置を構成するシアン、マゼンタ、イエローのトナー用の補給用通路体の構成を示す説明図、（ｂ）は（ａ）のＡ−Ａ断面矢視図、図１０は前記補給用通路を構成する回転体に駆動を伝達するギア配列を示す駆動側の説明図、図１１は前記トナー補給装置を構成する黒色用の補給用通路体の構成を示す説明図、図１２は前記黒色用の補給用通路体を構成する回転体の構成を示す説明図である。
【０１３０】
まず、シアン、マゼンタ、イエローのトナー用の補給用通路体６１２ｂ，６１２ｃ，６１２ｄについて、シアン用のトナー用の補給用通路体６１２ｂを例に挙げて説明する。
【０１３１】
補給用通路体６１２ｂは、図９（ａ），（ｂ）に示すように、上部にはトナーを導入するためのトナー導入口６１２ｂ１が開口形成され、このトナー導入口６１２ｂ１からトナー排出口６１２ａ１に渡りトナーを通過させるトナー通路６１２ｃ１が上下方向で略直線状に設けられている。
【０１３２】
トナー通路６１２ｃ１内には、トナーを撹拌するためのトナー撹拌翼６２１を有する２つの回転体６２０ａ，６２０ｂと、トナー搬送方向（図中上下方向）に対して略垂直方向（図中左右方向）に揺動可能な揺動体６３０とが設けられている。
【０１３３】
補給用通路体６１２ｂは、回転体６２０ａ，６２０ｂを収納可能に、上下方向にずれた位置でトナー搬送中心線Ｘを挟んで左右方向に膨出させた形状、すなわち、正面視で左右側部を交互に膨出させた略ひょうたん状に形成されている。
【０１３４】
回転体６２０ａ，６２０ｂは、トナー通路６１２ｃ１内のトナー搬送中心線Ｘを挟んで且つトナー搬送中心線Ｘ付近を避けて対向する側に位置するとともに、回転体６２０ａを上方に配置し回転体６２０ｂを下方に配置して、それぞれの回転体６２０ａ，６２０ｂのトナー撹拌翼６２１が回転する範囲で干渉しない位置に配置されるとともに、それぞれの回転体６２０ａ，６２０ｂのトナー撹拌翼６２１の回転範囲がトナー搬送方向で上下方向にずれた状態でラップするように配置されている。
【０１３５】
トナー撹拌翼６２１は、４枚のトナー撹拌翼６２１がそれぞれ回転体６２０ａ，６２０ｂの中心側より放射状に４等配（角度９０°）に配置されている。このトナー撹拌翼６２１は、回転変位することによりトナー通路６１２ｃ１内に搬送されたトナーを撹拌、搬送するものであって、トナーを撹拌する面にスリットを形成したりトナーを撹拌する面を格子状に形成したものであっても良い。
【０１３６】
上方に位置する回転体６２０ａは時計回り方向（矢印Ｂ方向）に回転され、下方に位置する回転体６２０ｂは反時計回り方向（矢印Ｃ方向）に回転される。
すなわち、回転体６２０ａ，６２０ｂは、それぞれの上側部（上半部）においてはトナー通路６１２ｃ１の内壁６１２ｃ３，６１２ｃ４側からトナー搬送中心線Ｘに向かう方向にトナー撹拌翼６２１を回転移動することでトナーをトナー通路６１２ｃ１の中心側に寄せるとともに、トナー搬送中心線Ｘ近傍においては上方から下方に向かいトナー撹拌翼６２１を回転移動することでトナーを下方に向かい搬送するように構成されている。
【０１３７】
本実施形態では、回転体６２０ａ，６２０ｂは、図１０に示すように、駆動側のギア６２０ｇ１，６２０ｇ２の噛み合いにより互いに反対方向に回転するようになっている。図中の符号６２０ｇ３〜６２０ｇ６は、ギア６２０ｇ１，６２０ｇ２に駆動を伝達するギアの配列を示す。
【０１３８】
揺動体６３０は、棒状のばね材で構成され、トナー導入口６１２ｂ１付近からトナー排出口６１２ａ１付近に渡り上下方向に長く延設されている。
揺動体６３０の上下方向の略中心部には、トナー通路６１２ｃ１内に内壁６１２ｃ２より突設された支軸６３１に回動可能に軸支される取付部６３０ａが形成されている。
【０１３９】
支軸６３１は、回転体６２０ａ，６２０ｂの間で回転体６２０ａ，６２０ｂのトナー撹拌翼６２１と干渉しない位置に設けられている。さらに、本実施形態では、支軸６３１は、トナー導入口６１２ｂ１からトナー排出口６１２ａ１に渡り直線的にトナーが搬送される範囲から外れた位置に配置されている。
【０１４０】
取付部６３０ａは、支軸６３１上で回動可能にばね材をコイル状に複数巻回して形成され、いわゆるねじりコイルばねの機能を持たせて、その両端側がばね弾性により変位可能に形成されている。
【０１４１】
揺動体６３０は、図９（ｂ）に示すように、取付部６３０ａより上方の部分（以下、トナー導入側揺動部と称する。）６３０ｂが、回転体６２０ａに隣接する第１揺動部６３０ｂ１では回転体６２０ａと干渉しないように内壁６１２ｃ２に沿って延設され、回転体６２０ａよりも上方の第２揺動部６３０ｂ２では直線的に上方に向かい６１２ｂ１付近まで延設されている。さらに、第２揺動部６３０ｂ２には、内壁６１２ｃ２側からトナー通路６１２ｃ１内に向かい、すなわち図９（ｂ）のトナー通路６１２ｃ１幅方向に沿って屈曲した略コ字状の撹拌部６３０ｂ３が形成されている。
【０１４２】
一方、揺動体６３０の取付部６３０ａより下方の部分（以下、トナー排出側揺動部と称する。）６３０ｃは、回転体６２０ｂと干渉しないように内壁６１２ｃ２側に沿って延設され、上下方向の略中心部には、回転体６２０ｂに突設されたカム軸６３２によりガイドされるガイド部６３０ｄが形成されている。
【０１４３】
カム軸６３２は、回転体６２０ｂから内壁６１２ｃ２に向かい突設され、回転体６２０ｂの回転とともに回動するようになっている。
【０１４４】
前記ガイド部６３０ｄは、棒状のばね材を図中上下方向に長い長穴状に巻回して、カム軸６３２が少なくとも上死点から下死点に到る範囲で上下方向に変位可能に形成され、左右方向ではカム軸６３２との係合状態を規制して、カム軸６３２の動作とともに支軸６３１を支点として左右方向に揺動するようになっている。
【０１４５】
トナー排出側揺動部６３０ｃは、取付部６３０ａからガイド部６３０ｄに渡る第１揺動部６３０ｃ１が直線的に形成され、ガイド部６３０ｄからトナー排出口６１２ａ１に渡る第２揺動部６３０ｃ２では直線的に延設されるとともに、トナー排出口６１２ａ１付近では内壁６１２ｃ２からトナー通路６１２ｃ１内に向かい、すなわち図９（ｂ）のトナー通路６１２ｃ１幅方向に沿って屈曲した略コ字状の撹拌部６３０ｃ３が形成されている。
【０１４６】
本実施形態では、揺動体６３０は、回転体６２０ｂの回転動作に伴い回動するカム軸６３２の動作に連動するガイド部６３０ｄによって図中左右方向に揺動するようになっている。
【０１４７】
次に、黒色用の補給用通路体６１２ａについて説明する。
黒色用の補給用通路体６１２ａは、図１１に示すように、平面視で略ハート形状を有する箱体の筐体６１３で外装部が構成されている。
筐体６１３は、上部に２個のトナーボトル２００に対応するトナー導入口６１１ａ，６１１ａが形成され、該筐体６１３内部を前記トナー導入口６１１ａ，６１１ａから供給されたトナーの一時貯留部としている。
【０１４８】
筐体６１３内部には、貯留したトナーを撹拌する回転体６１４，６１５，６１６が回転可能に軸止されている。また、筐体６１３の下部には、現像装置２３にトナーを供給するためのトナー排出口６１１ａ１が形成されている。
【０１４９】
回転体６１４，６１５は、それぞれトナーボトル２００，２００からのトナーが導入されるトナー導入口６１１ａ，６１１ａの下方に配置され、回転体６１６は、回転体６１４，６１５の間で且つその下方に配置されている。
【０１５０】
筐体６１３は、その内壁６１３ａが回転体６１４，６１５，６１６と近接し、且つ回転体６１４，６１５，６１６の回転する範囲で干渉しないように円弧状に構成されている。
【０１５１】
回転体６１４，６１５，６１６は、同様な形状および構成を有しているため、回転体６１４を例に挙げて説明する。
【０１５２】
回転体６１４は、図１２に示すように、主に、同軸心上に形成された支軸６１４ａ，６１４ｂと、矩形状の枠体で形成されたトナー撹拌翼６１４ｃとを備え、該トナー撹拌翼６１４ｃが支軸６１４ａ，６１４ｂを回転軸心として側面視で略直線状になるように２カ所（６１４ｃ１，６１４ｃ２）に形成され、該支軸６１４ａ，６１４ｂとにより筐体６１３内部に回転可能に軸支されている。
【０１５３】
本実施例では、回転体６１４，６１５は、図１１に示すように、それぞれのトナー撹拌翼６１４ｃ，６１５ｃが各々回転する範囲で干渉しないように構成され、また、駆動側のギア（図示省略）の噛み合いにより互いに反対方向に回転するようになっている。
【０１５４】
具体的には、トナー撹拌翼６１４ｃは反時計回り方向に回転し、トナー撹拌翼６１５ｃが時計回り方向に回転するようになっている。そして、それぞれのトナー撹拌翼６１４ｃ，６１５ｃが筐体６１３の内壁６１３ａに沿って下方に向かい回転するようになっている。
【０１５５】
次に、本実施形態に係る補給用通路体によるトナー補給における作用について図面を参照して説明する。
【０１５６】
まず、シアン用の補給用通路体６１２ｂを例に挙げてカラー用トナーの補給を行なう場合について説明する。
図９（ａ）に示すように、トナーボトル２００から補給用通路体６１２ｂに供給されるトナーは、トナー導入口６１２ｂ１からトナー通路６１２ｃ１内に導入される。
トナー導入口６１２ｂ１から導入されたトナーは、回転体６２０ａのトナー撹拌翼６２１により撹拌されながら下方に搬送され、さらに、回転体６２０ｂのトナー撹拌翼６２１により撹拌されながら下方のトナー排出口６１２ａ１に向かい搬送される。
【０１５７】
本実施形態では、トナー導入口６１２ｂ１とトナー排出口６１２ａ１とがトナー搬送方向に沿って上下方向で略直線的に正対するように構成されているので、トナーが正常な粉体状態のときには、回転体６２０ａ，６２０ｂによって現像装置に対して滞ることなく良好なトナー補給を行なうことができる。
【０１５８】
一方、トナー通路６１２ｃ１内に導入されたトナーがブロッキング等を起した場合は、トナー導入口６１２ｂ１付近やトナー排出口６１２ａ１付近にトナーが滞り、トナー補給が正常に行なわれなくなる。
【０１５９】
本実施形態では、補給用通路体６１２ｂのトナー通路６１２ｃ１に揺動体６３０を設けたことで、該揺動体６３０によりブロッキングを起したトナーを揺動体６３０により粉砕し撹拌することでトナー補給を良好に行うことができる。
【０１６０】
具体的には、図９（ａ）に示すように、回転体６２０ｂの回転動作にともない回転するカム軸６３２によりガイド部６３０ｄが左右（図中略水平方向）に揺動する。これにより揺動体６３０は支軸６３１を支点として揺動する。
【０１６１】
揺動体６３０が揺動することで、トナー導入口６１２ｂ１付近では、撹拌部６３０ｂ３が左右に揺動してトナー導入口６１２ｂ１付近でブロッキング等により滞留したトナーを粉砕してトナーを搬送し易くすることができる。
一方、トナー排出口６１２ａ１付近では、撹拌部６３０ｃ３が左右に揺動してトナー排出口６１２ａ１付近でブロッキング等により滞留したトナーを粉砕してトナーを搬送し易くすることができる。
【０１６２】
尚、トナー通路６１２ｃ１内の中央部では、導入されたトナーを回転体６２０ａ，６２０ｂによって撹拌、搬送するようになっているのでトナー搬送が良好に行なわれる。
【０１６３】
さらに、トナー撹拌翼６２１に隣接する内壁６１２ｃ３，６１２ｃ４がトナー撹拌翼６１６ｃの回転範囲に沿って且つ近接して円弧状に形成されているので、トナー通路６１２ｃ１に導入されたトナーが内壁付近に滞ることなく撹拌、搬送される。
【０１６４】
このようにして、シアン用のトナー補給においては、補給用通路体６１２ｂに供給されるトナーは、回転体６２０ａ，６２０ｂ及び揺動体６３０によって良好な状態で搬送できるので、現像装置２３に向かい安定したトナー補給を行うことができる。
【０１６５】
次に、黒色用の補給用通路体６１２ａによるトナー補給における作用について説明する。
図１１に示すように、２個のトナーボトル２００から補給用通路体６１２ａに供給されるトナーは、それぞれ２カ所のトナー導入口６１１ａ，６１１ａから筐体６１３内部に導入される。
それぞれのトナー導入口６１１ａ，６１１ａから導入されたトナーは、それぞれ回転体６１４，６１５付近に投入されて、回転体６１４，６１５により撹拌、搬送されるとともに、筐体６１３内部に一時的に貯留した状態で撹拌される。そして、さらに回転体６１６により撹拌されながらトナー排出口６１１ａ１に向かい搬送される。
【０１６６】
具体的には、筐体６１３内部のトナーは、トナー撹拌翼６１４ｃ，６１５ｃの回転により、撹拌されながら筐体６１３内部の中心付近より両側（図中で左右）の内壁６１３ａ方向に搬送されるので、筐体６１３内部で左右が略均等に撹拌することができる。
【０１６７】
本実施形態では、筐体６１３の内壁６１３ａがトナー撹拌翼６１４ｃ，６１５ｃの回転範囲に沿って且つ近接して円弧状に形成されているので、筐体６１３内部に貯留したトナーが内壁付近に滞ることなく撹拌、搬送される。
【０１６８】
また、トナー撹拌翼６１６ｃは、トナー撹拌翼６１４ｃ，６１５ｃの間でその下方に配置されているので、トナー撹拌翼６１４ｃ，６１５ｃにより筐体６１３内部の左右の内壁６１３ａ側から該トナー撹拌翼６１４ｃ，６１５ｃの下側で筐体６１３内部の中央部付近に撹拌されながら搬送されたトナーを、トナー撹拌翼６１６ｃによってさらに撹拌しながらトナー排出口６１１ａ１に向かい搬送することができる。
【０１６９】
さらに、トナー撹拌翼６１６ｃに隣接する筐体６１３の内壁６１３ａも、トナー撹拌翼６１６ｃの回転範囲に沿って且つ近接して円弧状に形成されているので、筐体６１３内部に貯留したトナーが内壁付近に滞ることなく撹拌、搬送される。
【０１７０】
このようにして、２個のトナーボトル２００から補給用通路体６１２ａに供給されるトナーは、筐体６１３内部で回転体６１４，６１５，６１６により均等に撹拌することができる。すなわち、別々のトナーボトル２００から撹拌状態がことなるトナーが供給されても、補給用通路体６１２ａよって常に均等に撹拌されたトナーを現像装置２３に供給することができる。
【０１７１】
尚、本実施形態では、黒色用の補給用通路体６１２ａにおいては、回転体６１６によりトナー排出口６１１ａ１付近のトナーを撹拌してトナーが滞留しないようにしているが、上述した揺動体６３０を回転体６１６の変わりに設けるか、または、黒色用の補給用通路体６１２ａの構成に加えて別途揺動体を設けることも可能であり、この様に構成することで、さらに安定したトナー補給を行なうことができる。
【０１７２】
以上のように構成したので、本実施形態によれば、トナー補給装置１００の構成にトナー搬送装置として補給用通路体６１２を設け、特に、補給用通路体６１２ｂ，６１２ｃ，６１２ｄのトナー通路６１２ｃ１に回転体６２０ａ，６２０ｂ及び揺動体６３０を設けることで、簡単な構成で、トナー通路６１２ｃ１に導入されたトナーを常に良好な状態で搬送することができるので、現像装置２３に安定してトナーを供給することができる。そして、現像装置２３への安定したトナー補給により高品位な画像を安定して出力できる画像形成装置を実現できる。
【０１７３】
また、本実施形態では、揺動体６３０を揺動するための駆動源として、回転体６２０ｂの回転動作に連動させることで回転体６２０ｂの駆動源を兼用するようにしたので、揺動体６３０を揺動するための駆動源を別途設けることなく、簡単な構成で且つ省スペースな装置構成を実現できる。
【０１７４】
さらに、本実施形態では、揺動体６３０の構成にばね材を用いることで、ばね材の弾性力や動作時に反力（反発力）により、撹拌部６３０ｂ３，６３０ｃ３が振動することで効果的にトナーを撹拌、粉砕することができる。
【０１７５】
また、補給用通路体６１２ａの筐体６１３の外側に回転体６２０ａ，６２０ｂの駆動部であるギア６２０ｇ１〜６２０ｇ６を集約して配置したので、駆動部の簡素化を図り、省スペースなトナー補給装置を実現できる。
【０１７６】
尚、本実施形態では、上述したように揺動体６３０の構成にばね材を用いているが、本発明は、揺動体の構成に限定されるものではなく、例えば、変形例として、図１３に示すように、合成樹脂部材を用いて揺動体８３０を形成するようにしたものであっても良い。この揺動体８３０が設けられる補給用通路体８００の構成は、上述した実施形態に係る補給用通路体６１２と略同様な構成を有するものであって、同様な構成要素は同一の符号を付することで説明を省略する。
【０１７７】
揺動体８３０は、図１３に示すように、合成樹脂部材で構成され、トナー導入口８１２ｂ１付近からトナー排出口８１２ａ１付近に渡り上下方向に長く延設されている。
【０１７８】
トナー通路８１２ｃ１内の回転体６２０ａの上部には、回転体６２０ａのトナー撹拌翼６２１と干渉しない位置に支軸８３１が突設されている。
揺動体８３０の支軸８３１に対応する位置には、支軸８３１により動作範囲を制限するためのガイド部８３０ｄが形成されている。
【０１７９】
回転体６２０ｂには、該回転体６２０ｂの回転とともに回動するカム軸８３２が突設されている。揺動体８３０のカム軸８３２に対応する位置には、カム軸８３２が回動可能に取付けられる取付部８３０ａが形成されている。
【０１８０】
揺動体８３０は、取付部８３０ａにカム軸８３２が回動可能に取付けられているため、回転体６２０ｂが回転することにより回動するカム軸８３２の動作に伴い、支軸８３１を支点としてガイド部８３０ａに動作を制限されながら、上下方向に変位しつつ両端部を左右に揺動するようになっている。
【０１８１】
このように構成したので、前述した実施形態と同様に、揺動体８３０を揺動するための駆動源として、回転体６２０ｂの回転動作に連動させることで回転体６２０ｂの駆動源を兼用するようにしたので、揺動体８３０を揺動するための駆動源を別途設けることなく、簡単な構成で且つ省スペースな装置構成を実現できる。
さらに、揺動体８３０を合成樹脂部材で形成したので、射出成型等により部品成型を容易にできるので生産性の向上を図ることができる。
【０１８２】
また、本実施形態では、トナーを撹拌する回転体６２０ａ，６２０ｂの構成に、矩形状の枠体により構成されたトナー撹拌翼６２１を備えているが、本発明は、回転体の構成に限定されるものではなく、例えば、板状の撹拌体にスリットを設けたものや、格子状に形成したもの、また、複数の棒状のものを回転させることによりトナーを撹拌するようにしたものであっても良い。
【０１８３】
また、本実施形態では、回転体６２０ａ，６２０ｂのトナー撹拌翼６２１の回転範囲が互いに干渉しないようにしているが、本発明は、回転体の配置に限定されるものではなく、例えば、回転体６２０ａ，６２０ｂの構成を、回転体６２０ａのトナー撹拌翼６２１の回転範囲と回転体６２０ｂのトナー撹拌翼６２１の回転範囲とが互いに干渉するように構成されるとともに、その回転する回転体６２０ａ，６２０ｂのトナー撹拌翼６２１，６２１の位相を４５度ずらしたタイミングで回転するようにしたものであってもよい。
【０１８４】
このように構成することで、トナー通路６１２ｃ１内に供給されたトナーは、回転体６２０ａ，６２０ｂのトナー撹拌翼６２１，６２１が互いに他の回転範囲内に入って撹拌することにより、さらに高効率でトナーの撹拌を行うことができ、しかも、回転体６２０ａ，６２０ｂの取付けピッチを狭めることができるので、さらに省スペースなトナー補給装置を実現できる。
【０１８５】
尚、本実施形態では、トナー補給装置１００を図１に示すような画像形成装置に適用した例について説明したが、これに限定されるものではなく、例えば、図１４に示すような複写機１０１に適用してもよい。
【０１８６】
複写機１０１は、図１４に示すように、本実施形態に係る画像形成装置１と略同様な構成を有する画像形成部１０８の上方に画像読取り装置（スキャナー）１１０を配置し、この画像形成部１０８の下側に複数種類の用紙に対応した第１給紙カセット１４２ａ，第２給紙カセット１４２ｂ，第３給紙カセット１４２ｃ，第４給紙カセット１４２ｄを配置して、多種、大量印刷を自動で行うようにしたものである。
図中の符号１２０は、廃トナーを回収する廃トナーボックスである。
尚、複写機１０１において、上述した実施形態に係る画像形成装置１と同様な構成を有するものは同一の符号を付することで説明を省略する。
【０１８７】
以上のように構成した複写機１０１によれば、上述したトナー搬送装置として補給用通路体６１２を備えたトナー補給装置１００を採用することで、上述した実施形態に係る画像形成装置１と同様な効果を奏し得る。
【０１８８】
さらに、本発明は、現像剤（トナー）を補給する必要のある画像形成装置であれば、上述したような構成の画像形成装置や複写機に限定されるものではなく、その他の画像形成装置等に展開が可能である。
【０１８９】
以上のように、本発明は、上述した実施形態に限定されるものではなく、請求項に示した範囲で種々の変更が可能である。すなわち、本発明の要旨を逸脱しない範囲内において適宜変更した技術的手段を組み合わせて得られる実施形態についても本発明の技術的範囲に含まれる。
【図面の簡単な説明】
【０１９０】
【図１】本発明に係るトナー搬送装置が採用された画像形成装置の全体の構成を示す説明図である。
【図２】前記画像形成装置を構成する現像装置とトナー補給装置の構成を示す概略側面断面図である。
【図３】前記現像装置とトナー補給装置の構成を示す正面から見た概略図である。
【図４】前記現像装置の構成を示す斜視図である。
【図５】前記トナー補給装置を構成するトナー補給部装着機構にトナー補給部を装着した場合の装着例を示す斜視図である。
【図６】前記トナー補給部装着機構の構成を示す斜視図である。
【図７】前記トナー補給部装着機構の構成を示す説明図である。
【図８】前記トナー補給部装着機構と現像装置とを連結する補給用通路体の構成を示す説明図である。
【図９】（ａ）は前記トナー補給装置を構成するシアン、マゼンタ、イエローのトナー用の補給用通路体の構成を示す説明図、（ｂ）は（ａ）のＡ−Ａ断面矢視図である。
【図１０】前記補給用通路を構成する回転体に駆動を伝達するギア配列を示す駆動側の説明図である。
【図１１】前記トナー補給装置を構成する黒色用の補給用通路体の構成を示す説明図である。
【図１２】前記黒色用の補給用通路体を構成する回転体の構成を示す説明図である。
【図１３】本実施形態に係る補給用通路体のその他の実施例を示す説明図である。
【図１４】本発明のその他の実施形態に係る複写機の全体の構成を示す説明図である。
【符号の説明】
【０１９１】
１  画像形成装置
２３，２３ａ，２３ｂ，２３ｃ，２３ｄ  現像装置
１００，１００ａ，１００ｂ，１００ｃ，１００ｄ  トナー補給装置
１０１  複写機
２００  トナーボトル（トナー収容部）
２００ａ  トナー供給口
５００，５００ａ，５００ｂ，５００ｃ，５００ｄ  トナー補給部
６００  トナー補給部装着機構
６０２  装着台
６１２，６１２ａ，６１２ｂ，６１２ｃ，６１２ｄ  補給用通路体（トナー搬送装置）
６１２ａ１  トナー排出口
６１２ｂ１  トナー導入口
６１２ｃ１  トナー通路（トナー搬送路）
６２０ａ，６２０ｂ  回転体
６２０ｇ１，６２０ｇ２  ギア
６２１  トナー撹拌翼
６３０，８３０  揺動体
６３０ａ  取付部
６３０ｂ１  第１揺動部
６３０ｂ２  第２揺動部
６３０ｂ３  撹拌部
６３０ｃ  トナー排出側揺動部
６３０ｃ１  第１揺動部
６３０ｃ２  第２揺動部
６３０ｃ３  撹拌部
６３０ｄ  ガイド部
６３１  支軸
６３２  カム軸
【図１】
2008083287.tif 000003
【図２】
2008083287.tif 000004
【図３】
2008083287.tif 000005
【図４】
2008083287.tif 000006
【図５】
2008083287.tif 000007
【図６】
2008083287.tif 000008
【図７】
2008083287.tif 000009
【図８】
2008083287.tif 000010
【図９】
2008083287.tif 000011
【図１０】
2008083287.tif 000012
【図１１】
2008083287.tif 000013
【図１２】
2008083287.tif 000014
【図１３】
2008083287.tif 000015
【図１４】
2008083287.tif 000016